(57)【要約】【課題】簡単な操作で様々な太さの光ファイバケーブルを保持させることができる光接続箱の光ファイバケーブル固定具を提供する。【解決手段】本発明の光ファイバケーブル固定具は、光ファイバケーブルを保持するブロック状の第1の配線保持部を、光ファイバケーブルの結束具が挿通可能な開口部を備えた第２の配線保持部の上面に、着脱自在に装着したものである。第1の配線保持部の係止部の側方には配線逃し用の空間部を形成することが好ましい。第1の配線保持部６を取り外せば第２の配線保持部７に太い光ファイバケーブルを結束具によって固定でき、第1の配線保持部６を取り付ければ比較的細い光ファイバケーブルを上下２段に保持させることができる。【選択図】図２
2010266771.tif 000002
【特許請求の範囲】
【請求項１】
光ファイバケーブルを保持するブロック状の第1の配線保持部を、光ファイバケーブルの結束具が挿通可能な開口部を備えた第２の配線保持部の上面に、着脱自在に装着したことを特徴とする光接続箱の光ファイバケーブル固定具。
【請求項２】
第1の配線保持部は底面に空洞部を有し、第２の配線保持部はこの空洞部に対応する結束具が通過可能な貫通孔を備えた突起を有するものであることを特徴とする請求項１記載の光接続箱の光ファイバケーブル固定具。
【請求項３】
光ファイバ接続箱のパッキンよりも外側に配置されたことを特徴とする請求項１または２記載の光接続箱の光ファイバケーブル固定具。
【請求項４】
第1の配線保持部は光ファイバケーブルの係止部を上下２段に備え、係止部の側方に配線逃し用の空間部を形成したことを特徴とする請求項３記載の光接続箱の光ファイバケーブル固定具。
【発明の詳細な説明】
【技術分野】
【０００１】
本発明は、光接続箱に入線または出線する光ファイバケーブルを固定するために光接続箱に設けられる光ファイバケーブル固定具に関するものである。
【背景技術】
【０００２】
光接続箱は光ファイバの融着や分岐のために用いられるもので、内部に融着手段や分岐手段を収納した浅箱状のものが一般的である。この光接続箱には入線または出線する光ファイバケーブルを固定するための光ファイバケーブル固定具が必要である。
【０００３】
ところが光ファイバケーブルの種類は多く、その太さや光ファイバの心線数も様々である。このため従来は光ファイバケーブルの太さに応じた光ファイバケーブル固定具を備えた光接続箱を用意していたが、部品点数が増加してコストアップの原因となっていた。
【０００４】
また特許文献１に示されるように、光ファイバケーブル固定具が光接続箱の内部に設けられているため、アダプタからコネクタを引抜こうとするときに光ファイバケーブルに無理な力が加わり、光ファイバケーブルが損傷するために内部の縦方向寸法を大きく取る必要性があり、ケース全体が大きくなる問題があった。
【先行技術文献】
【特許文献】
【０００５】
【特許文献１】特許第３９４５７５８号公報
【発明の開示】
【発明が解決しようとする課題】
【０００６】
本発明の主な目的は上記した従来の問題点を解決し、簡単な操作で様々な太さの光ファイバケーブルを保持させることができる光接続箱の光ファイバケーブル固定具を提供することである。また本発明の他の目的は、アダプタからコネクタを引抜こうとするときに光ファイバケーブルを損傷させるおそれのない光接続箱の光ファイバケーブル固定具を提供することである。
【課題を解決するための手段】
【０００７】
上記の課題を解決するためになされた本発明は、光ファイバケーブルを保持するブロック状の第1の配線保持部を、光ファイバケーブルの結束具が挿通可能な開口部を備えた第２の配線保持部の上面に、着脱自在に装着したことを特徴とするものである。
【０００８】
なお、第1の配線保持部は底面に空洞部を有し、第２の配線保持部はこの空洞部に対応する結束具が通過可能な貫通孔を備えた突起を有するものとすることができる。また本発明の光ファイバケーブル固定具は、光ファイバ接続箱のパッキンよりも外側に配置することが好ましく、この場合には第1の配線保持部は光ファイバケーブルの係止部を上下２段に備え、上下段の係止部の側方に配線逃し用の空間部を形成することが好ましい。
【発明の効果】
【０００９】
本発明によれば、ブロック状の第1の配線保持部を着脱するだけで、第1の配線保持部と第２の配線保持部とを使い分けることができ、細い光ファイバケーブルは第1の配線保持部に保持させ、太い光ファイバケーブルは第２の配線保持部に結束具により固定することができるうえ、ねじ止めも必要ないので作業性に優れる。
【００１０】
また、光ファイバケーブル固定具を光ファイバ接続箱のパッキンよりも外側に配置すればケース全体の小型化を図ることができ、上下段の係止部の側方に配線逃し用の空間部を形成すれば、アダプタからコネクタを引抜こうとする前に光ファイバケーブルを配線逃し用の空間部に入れておくことによって、光ファイバケーブルを損傷させるおそれをなくすることができる。
【図面の簡単な説明】
【００１１】
【図１】本発明の第1の実施形態を示す斜視図である。
【図２】要部の拡大斜視図である。
【図３】第1の配線保持部の斜視図である。
【図４】第1の配線保持部の底部斜視図である。
【図５】要部の断面図である。
【図６】第２の配線保持部の実施形態を示す断面図である。
【図７】第２の実施形態を示す斜視図である。
【図８】第1の配線保持部の変形例を示す斜視図である。
【図９】第1の配線保持部の他の変形例を示す斜視図である。
【発明を実施するための形態】
【００１２】
以下に本発明の実施形態を示す。
図１において、１は光接続箱２４に収納されたモジュール本体であり、その内部には光ファイバを融着したり分岐させるためのスリーブやスプリッタ等が収納されている。その一端には光ファイバケーブルを引き込むためのアダプタ２が配置されており、アダプタ２にはコネクタ３が挿入されている。そしてモジュール本体１が搭載された縦型ケース４の端部付近には弾性材料からなる防水・防塵用の板状のパッキン５が取り付けられており、本発明の光ファイバケーブル固定具はこのパッキン５の外側の縦型ケース４の最端部に配置されている。光ファイバケーブル固定具はパッキン５よりも内側に配置することも可能であるが、その場合には光ファイバケーブルが折れないように内部の縦方向寸法を大きく取る必要があり、光接続箱２４の全体サイズが大型化することとなるので、パッキン５の外側に配置することが好ましい。
【００１３】
図２はその部分を拡大した分解斜視図であり、６はブロック状の第1の配線保持部、７はこの第1の配線保持部６の下方に位置する第２の配線保持部である。第２の配線保持部７は第1の配線保持部６を着脱自在に保持する固定部としても機能するものである。以下に詳細な構造を説明する。
【００１４】
まず第1の配線保持部６は比較的細い光ファイバケーブルを挟み込んで止めるための係止部８、９を上下２段に備えたもので、左右両側に上段の係止部８が形成され、中央の両側に下段の係止部９が形成されている。何れも、光コード、ドロップケーブル、インドアケーブルのような細い光ファイバケーブルを挟み込めるＵ字状のものであり、内側には光ファイバケーブル係止用の突起１０が上下方向に複数本形成されている。また下段の係止部９の側方、すなわち下段の中央部には配線逃し用の空間部１１が形成されている。この配線逃し用の空間部１１は、アダプタ２からコネクタ３を引き抜くときにそのコネクタ３に接続されている光ファイバケーブルを係止部８、９から外して移動させておき、光ファイバケーブルに無理な力がかかることを防止してその損傷を防止するために用いられるものである。
【００１５】
この実施形態では、図３、図４に示すように上段の係止部８の内部は底面に達する空洞部１２となっており、下段の係止部９の下面にも凹部１３が形成されている。また上段の係止部８の片側の側面には、図３に示すような溝部１４が形成されている。このように左右に空洞部１２を形成することにより係止部８、９が撓み易くなり、光ファイバケーブルを挟んで保持させ易くなる。
【００１６】
第２の配線保持部７は縦型ケース４と一体に成形されたもので、上記した第1の配線保持部６の固定部としての機能と、比較的太い光ファイバケーブルを保持する機能とを備えたものである。このため、この実施形態では中央部に突起１５を備えるとともに、その左右両側に２本の係止爪１６、１７を備えている。第２の配線保持部７の突起１５は第1の配線保持部６の凹部１３に嵌合されるものである。また、係止爪１７は図５に示されるように端部が凹部のように形成しており第1の配線保持部６の空洞部１２に挿入され、第1の配線保持部６を左右方向にスライドさせることによって空洞部１２に形成してある突起１０に係止爪１７の凹部が係合する上下方向の動作防止用のもので、他方の係止爪１６は第1の配線保持部６を左右方向にスライドさせることによって第1の配線保持部６の側面の溝部１４に係合する浮き上がり防止用のものである。これらの突起１５と２本の係止爪１６、１７によって、第1の配線保持部６は第２の配線保持部７の上に弾性的に固定される。第1の配線保持部６の着脱は左右方向にスライドさせることによって行うので、第1の配線保持部６に光ファイバケーブルが保持されているままであっても、光ファイバケーブルが引っ張られることはない。
【００１７】
またこの中央部の突起１５は左右両側に開口する貫通孔１８を備えている。図６に示されるようにこの貫通孔１８はバンド状の結束具２６を通して第２の配線保持部７に太い光ファイバケーブル２５を固定するために用いられる。このため第1の配線保持部６を取り外せば第２の配線保持部７に太い光ファイバケーブルを固定でき、第1の配線保持部６を取り付ければ比較的細い光ファイバケーブルを上下２段に保持させることが可能となる。なおこの実施形態では第２の配線保持部７を縦型ケースと一体に形成したが必ずしもこれに限定されるものではなく、図１に示す蓋体２１に設けることも可能である。
【００１８】
上記した第１の実施形態では突起１５に貫通孔１８を形成したが、図７に示す第２の実施形態では中央部の突起１５の代わりに空洞部１９を形成するとともに、その左右両側にバンド状の結束具を通すための貫通孔２０を形成してある。この実施形態では第1の配線保持部６の形状は第１の実施形態と同一であるから、第1の配線保持部６は２本の係止爪１６、１７によって第２の配線保持部７の上に弾性的に固定される。
【００１９】
この第２の実施形態においても、第1の配線保持部６を取り外せば第２の配線保持部７に太い光ファイバケーブルを結束具によって固定でき、第1の配線保持部６を取り付ければ比較的細い光ファイバケーブルを上下２段に保持させることが可能である。
【００２０】
図８は第1の配線保持部６の変形例を示す斜視図である。この例では係止部２２とその側方の空間部２３に図示しないゴム・スポンジ等の弾性体が挿入されており、空間部２３にドロップケーブルやインドアケーブルを固定し、係止部２２には細い光ファイバケーブルを突起１０により保持し、同一高さに２組形成されている。空間部２３を配線逃がし用として使用できることはもちろんである。また図９は第1の配線保持部６の他の変形例を示す斜視図であり、第１の実施形態とは逆に上段の係止部８を中央に形成し、下段の係止部９を両側に形成するとともに、その間に配線逃し用の空間部１１を設けた。このように第1の配線保持部６についても様々な形態を採用することができる。
【００２１】
上記したどの実施形態においても、ブロック状の第1の配線保持部６を着脱するだけで、第1の配線保持部６と第２の配線保持部７とを使い分け、細い光ファイバケーブルも太い光ファイバケーブルも固定することができる。またブロック状の第1の配線保持部６の着脱は係止爪１６、１７の弾性を利用して行われるので、ねじ止めの必要もなく作業性に優れる利点がある。
【符号の説明】
【００２２】
１  モジュール本体
２  アダプタ
３  コネクタ
４  縦型ケース
５  パッキン
６  第1の配線保持部
７  第２の配線保持部
８  係止部
９  係止部
１０  突起
１１  配線逃し用の空間部
１２  空洞部
１３  凹部
１４  溝部
１５  突起
１６  係止爪
１７  係止爪
１８  貫通孔
１９  空洞部
２０  貫通孔
２１  蓋体
２２  係止部
２３  空間部
２４  光接続箱
２５  太い光ファイバケーブル
２６  結束具
【図１】
2010266771.tif 000003
【図２】
2010266771.tif 000004
【図３】
2010266771.tif 000005
【図４】
2010266771.tif 000006
【図５】
2010266771.tif 000007
【図７】
2010266771.tif 000008
【図８】
2010266771.tif 000009
【図９】
2010266771.tif 000010
【図６】
2010266771.tif 000011